(57)【要約】      （修正有）【課題】ライフジャケットとして使用する際、使用者に装着された本体が使用者から離脱しないようにしたライフジャケットにもなる防災頭巾を提供する。【解決手段】ライフジャケットにもなる防災頭巾Ｐは、防災頭巾として使用する場合、本体１の長手方向を横断するように二つ折りし、向かい合う側端辺１Ａ１、１Ａ２をファスナー２により係合させる。また、ライフジャケットとして使用する場合、第１のバンド７の先端部に取り付けられた第１の係止部材８を第１’のバンド７’の先端部に取り付けられた第１の被係止部材８’に係止して、本体１を筒形状に構成して使用者の胴を覆うことができる。左肩肩掛バンド３を使用者の左肩に、右肩肩掛バンド４を使用者の右肩に、それぞれ掛け、更に、第２のバンド９の先端部に取り付けらた第２の係止部材１０を第２’のバンド９’の先端部に取り付けられた第２の被係止部材１０’に係止して、第２のバンド９と第２’のバンド９’で股バンドを構成する。【選択図】図１
0003191505.tif 000002
【実用新案登録請求の範囲】
【請求項１】
防災頭巾を広げた状態の平面が長方形となる本体と、
この本体の長手方向を横断するように二つ折りした場合の向かい合う側端辺に係合するファスナーと、
前記本体を左の肩に掛けるための左肩肩掛バンドと、
前記本体を右の肩に掛けるための右肩肩掛バンドとを備え、
前記本体には，浮力材が内在され、
前記本体の長方形の長い辺は、第１、第２の長辺であり、
前記本体の長方形の短い辺は、第１、第２の短辺であり、
前記左肩肩掛バンドは、前記本体の前記第２の長辺より前記第１の長辺に近い側に取り付けられ、
前記右肩肩掛バンドは、前記本体の前記第２の長辺より前記第１の長辺に近い側に取り付けられ、
一端を前記本体の前記第１の短辺より前記第２の短辺に近い側に第１のバンドが取り付けられ、
この第１のバンドの先端部に第１の係止部材又は第１の被係止部材が取り付けられ、
一端を前記本体の前記第２の短辺より前記第１の短辺に近い側に第１’のバンドが取り付けられ、
この第１’のバンドの先端部に前記第１の係止部材に係止される第１’の被係止部材又は前記第１の被係止部材に係止する第１’の係止部材が取り付けられ、
前記側端辺は、前記第１の長辺であり、
一端を前記本体の前記第１の長辺より前記第２の長辺に近い側に第２のバンドが取り付けられ、
この第２のバンドの先端部に第２の係止部材又は第２の被係止部材が取り付けられ、
一端を前記本体の前記第１の長辺より前記第２の長辺に近い側に第２’のバンドが取り付けられ、
この第２’のバンドの先端部に前記第２の係止部材に係止される第２’の被係止部材又は前記第２の被係止部材に係止する第２’の係止部材が取り付けられ、
前記第２の係止部材を前記第２’の被係止部材に係止して、又は、前記第２’の係止部材を前記第２の被係止部材に係止して、前記第２のバンドと前記第２’のバンドで股バンドが構成される
ことを特徴とするライフジャケットにもなる防災頭巾。    
【請求項２】
防災頭巾を広げた状態の平面が長方形となる本体と、
この本体の長手方向を横断するように二つ折りした場合の向かい合う側端辺に係合するファスナーと、
前記本体を左の肩に掛けるための左肩肩掛バンドと、
前記本体を右の肩に掛けるための右肩肩掛バンドとを備え、
前記本体には，浮力材が内在され、
前記本体の長方形の長い辺は、第１、第２の長辺であり、
前記本体の長方形の短い辺は、第１、第２の短辺であり、
前記左肩肩掛バンドは、前記本体の前記第２の長辺より前記第１の長辺に近い側に取り付けられ、
前記右肩肩掛バンドは、前記本体の前記第２の長辺より前記第１の長辺に近い側に取り付けられ、
一端を前記本体の前記第１の短辺より前記第２の短辺に近い側に第１のバンドが取り付けられ、
この第１のバンドの先端部に第１の係止部材又は第１の被係止部材が取り付けられ、
一端を前記本体の前記第２の短辺より前記第１の短辺に近い側に第１’のバンドが取り付けられ、
この第１’のバンドの先端部に前記第１の係止部材に係止される第１’の被係止部材又は前記第１の被係止部材に係止する第１’の係止部材が取り付けられ、
前記側端辺は、前記第２の長辺であり、
一端を前記本体の前記第１の長辺より前記第２の長辺に近い側に第２のバンドが取り付けられ、
この第２のバンドの先端部に第２の係止部材又は第２の被係止部材が取り付けられ、
一端を前記本体の前記第１の長辺より前記第２の長辺に近い側に第２’のバンドが取り付けられ、
この第２’のバンドの先端部に前記第２の係止部材に係止される第２’の被係止部材又は前記第２の被係止部材に係止する第２’の係止部材が取り付けられ、
前記第２の係止部材を前記第２’の被係止部材に係止して、又は、前記第２’の係止部材を前記第２の被係止部材に係止して、前記第２のバンドと前記第２’のバンドで股バンドが構成される
ことを特徴とするライフジャケットにもなる防災頭巾。
【請求項３】
左肩肩掛バンドは、伸縮自在で環状に形成され、
右肩肩掛バンドは、伸縮自在で環状に形成され、
一端が前記左肩肩掛バンドに、他端が前記右肩肩掛バンドに、それぞれ取り付けられた伸縮自在な第１の背面側バンドと、
一端が前記左肩肩掛バンドに、他端が前記右肩肩掛バンドに、それぞれ取り付けられた伸縮自在な第２の背面側バンドとを備え、
前記第１の背面側バンドの前記左肩肩掛バンドへの取り付け位置は、背面側から見て、前記第２の背面側バンドの前記左肩肩掛バンドへの取り付け位置より上に、
前記第２の背面側バンドの前記右肩肩掛バンドへの取り付け位置は、背面側から見て、前記第１の背面側バンドの前記右肩肩掛バンドへの取り付け位置より上に、
それぞれあって、前記第１の背面側バンドと前記第２の背面側バンドとがたすき掛けとなっている
ことを特徴とする請求項１又は２記載のライフジャケットにもなる防災頭巾。
【請求項４】
防災頭巾を広げた状態の平面が長方形となる本体と、
この本体の長手方向を横断するように二つ折りした場合の向かい合う側端辺に係合するファスナーとを備え、
前記本体には，浮力材が内在され、
前記本体の長方形の長い辺は、第１、第２の長辺であり、
前記本体の長方形の短い辺は、第１、第２の短辺であり、
一端を前記本体の前記第１の短辺より前記第２の短辺に近い側に第１のバンドが取り付けられ、
この第１のバンドの先端部に第１の係止部材又は第１の被係止部材が取り付けられ、
一端を前記本体の前記第２の短辺より前記第１の短辺に近い側に第１’のバンドが取り付けられ、
この第１’のバンドの先端部に前記第１の係止部材に係止される第１’の被係止部材又は、前記第１の被係止部材に係止する第１’の係止部材が取り付けられ、
前記側端辺は、前記第１の長辺であり、
一端を前記本体の前記第１の長辺より前記第２の長辺に近い側に第２のバンドが取り付けられ、
この第２のバンドの先端部に第２の係止部材又は第２の被係止部材が取り付けられ、
一端を前記本体の前記第１の長辺より前記第２の長辺に近い側に第２’のバンドが取り付けられ、
この第２’のバンドの先端部に前記第２の係止部材に係止される第２’の被係止部材又は、前記第２の被係止部材に係止する第２’の係止部材が取り付けられ、
前記第２の係止部材を前記第２’の被係止部材に係止して、又は、前記第２’の係止部材を前記第２の被係止部材に係止して、前記第２のバンドと前記第２’のバンドで股バンドが構成され、
一端を前記本体の前記第２の長辺より前記第１の長辺に近い側に第３のバンドが取り付けられ、
この第３のバンドの先端部に第３の係止部材又は第３の被係止部材が取り付けられ、
一端を前記本体の前記第２の長辺より前記第１の長辺に近い側に第３’のバンドが取り付けられ、
この第３’のバンドの先端部に前記第３の係止部材に係止される第３’の被係止部材又は、前記第３の被係止部材に係止する第３’の係止部材が取り付けられ、
一端を前記本体の前記第２の長辺より前記第１の長辺に近い側に第４のバンドが取り付けられ、
この第４のバンドの先端部に第４の係止部材又は第４の被係止部材が取り付けられ、
一端を前記本体の前記第２の長辺より前記第１の長辺に近い側に第４’のバンドが取り付けられ、
この第４’のバンドの先端部に前記第４の係止部材に係止される第４’の被係止部材又は前記第４の被係止部材に係止する第４’の係止部材が取り付けられ、
前記第３’のバンドの前記第１の長辺への取り付け部位と前記第３のバンドの前記第１の長辺への取り付け部位との間に前記第４のバンドの前記第１の長辺への取り付け部位が、
前記第４のバンドの前記第１の長辺への取り付け部位と前記第４’のバンドの前記第１の長辺への取り付け部位との間に前記第３’のバンドの前記第１の長辺への取り付け部位が、
それぞれ位置し、
前記第３’のバンドの前記第３’の係止部材が前記第３のバンドの前記第３の被係止部材に係止、又は、前記第３のバンドの前記第３の係止部材が前記第３’のバンドの前記第３’の被係止部材に係止して、前記第３’のバンドと前記第３のバンドが接続されて第１の連結バンドが形成され、
前記第４’のバンドの前記第４’の係止部材が前記第４のバンドの前記第４の被係止部材に係止、又は、前記第４のバンドの前記第４の係止部材が第４’のバンドの前記第４’の被係止部材に係止して、前記第４’のバンドと前記第４のバンドが接続されて第２の連結バンドが形成され、
前記本体の防災頭巾を広げた状態の平面視において、前記第１の連結バンドと前記第２の連結バンドは交差した状態にあって、前記第３のバンドの前記第１の長辺への取り付け部位と前記第４のバンドの前記第１の長辺への取り付け部位とを結ぶ直線、前記第１の連結バンド及び前記第２の連結バンドに囲まれた領域に一方の手を、前記第３’のバンドの前記第１の長辺への取り付け部位と前記第４’のバンドの前記第１の長辺への取り付け部位とを結ぶ直線、前記第１の連結バンド及び前記第２の連結バンドに囲まれた領域に他方の手を、それぞれ挿入することができる位置関係にある
ことを特徴とするライフジャケットにもなる防災頭巾。
【請求項５】
防災頭巾を広げた状態の平面が長方形となる本体と、
この本体の長手方向を横断するように二つ折りした場合の向かい合う側端辺に係合するファスナーとを備え、
前記本体には，浮力材が内在され、
前記本体の長方形の長い辺は、第１、第２の長辺であり、
前記本体の長方形の短い辺は、第１、第２の短辺であり、
一端を前記本体の前記第１の短辺より前記第２の短辺に近い側に第１のバンドが取り付けられ、
この第１のバンドの先端部に第１の係止部材又は第１の被係止部材が取り付けられ、
一端を前記本体の前記第２の短辺より前記第１の短辺に近い側に第１’のバンドが取り付けられ、
この第１’のバンドの先端部に前記第１の係止部材に係止される第１’の被係止部材又は、前記第１の被係止部材に係止する第１’の係止部材が取り付けられ、
前記側端辺は、前記第２の長辺であり、
一端を前記本体の前記第１の長辺より前記第２の長辺に近い側に第２のバンドが取り付けられ、
この第２のバンドの先端部に第２の係止部材又は第２の被係止部材が取り付けられ、
一端を前記本体の前記第１の長辺より前記第２の長辺に近い側に第２’のバンドが取り付けられ、
この第２’のバンドの先端部に前記第２の係止部材に係止される第２’の被係止部材又は、前記第２の被係止部材に係止する第２’の係止部材が取り付けられ、
前記第２の係止部材を前記第２’の被係止部材に係止して、又は、前記第２’の係止部材を前記第２の被係止部材に係止して、前記第２のバンドと前記第２’のバンドで股バンドが構成され、
一端を前記本体の前記第２の長辺より前記第１の長辺に近い側に第３のバンドが取り付けられ、
この第３のバンドの先端部に第３の係止部材又は第３の被係止部材が取り付けられ、
一端を前記本体の前記第２の長辺より前記第１の長辺に近い側に第３’のバンドが取り付けられ、
この第３’のバンドの先端部に前記第３の係止部材に係止される第３’の被係止部材又は、前記第３の被係止部材に係止する第３’の係止部材が取り付けられ、
一端を前記本体の前記第２の長辺より前記第１の長辺に近い側に第４のバンドが取り付けられ、
この第４のバンドの先端部に第４の係止部材又は第４の被係止部材が取り付けられ、
一端を前記本体の前記第２の長辺より前記第１の長辺に近い側に第４’のバンドが取り付けられ、
この第４’のバンドの先端部に前記第４の係止部材に係止される第４’の被係止部材又は前記第４の被係止部材に係止する第４’の係止部材が取り付けられ、
前記第３’のバンドの前記第１の長辺への取り付け部位と前記第３のバンドの前記第１の長辺への取り付け部位との間に前記第４のバンドの前記第１の長辺への取り付け部位が、
前記第４のバンドの前記第１の長辺への取り付け部位と前記第４’のバンドの前記第１の長辺への取り付け部位との間に前記第３’のバンドの前記第１の長辺への取り付け部位が、
それぞれ位置し、
前記第３’のバンドの前記第３’の係止部材が前記第３のバンドの前記第３の被係止部材に係止、又は、前記第３のバンドの前記第３の係止部材が前記第３’のバンドの前記第３’の被係止部材に係止して、前記第３’のバンドと前記第３のバンドが接続されて第１の連結バンドが形成され、
前記第４’のバンドの前記第４’の係止部材が前記第４のバンドの前記第４の被係止部材に係止、又は、前記第４のバンドの前記第４の係止部材が第４’のバンドの前記第４’の被係止部材に係止して、前記第４’のバンドと前記第４のバンドが接続されて第２の連結バンドが形成され、
前記本体の防災頭巾を広げた状態の平面視において、前記第１の連結バンドと前記第２の連結バンドは交差した状態にあって、前記第３のバンドの前記第１の長辺への取り付け部位と前記第４のバンドの前記第１の長辺への取り付け部位とを結ぶ直線、前記第１の連結バンド及び前記第２の連結バンドに囲まれた領域に一方の手を、前記第３’のバンドの前記第１の長辺への取り付け部位と前記第４’のバンドの前記第１の長辺への取り付け部位とを結ぶ直線、前記第１の連結バンド及び前記第２の連結バンドに囲まれた領域に他方の手を、それぞれ挿入することができる位置関係にある
ことを特徴とするライフジャケットにもなる防災頭巾。
【考案の詳細な説明】
【技術分野】
【０００１】
本考案は、ライフジャケットにもなる防災頭巾に係り、特に、ライフジャケットとして使用する場合、使用者に装着された本体が使用者から離脱しないようにしたライフジャケットにもなる防災頭巾に関する。
【背景技術】
【０００２】
従来、例えば、「ライフジャケットにもなる防災頭巾」がある（特許文献１の図１及び図４参照）。
この「ライフジャケットにもなる防災頭巾」において、ライフジャケットとして使用する場合、支持ベルトと締め付けベルトとの間に腕を通すようにしている。
【先行技術文献】
【特許文献】
【０００３】
【特許文献１】実用新案登録第３１７７１２４号公報
【考案の概要】
【考案が解決しようとする課題】
【０００４】
しかしながら、ライフジャケットとして使用する場合、使用状態において、両腕を上げると、装着された「ライフジャケットにもなる防災頭巾」が使用者から容易に離脱するという問題点があった。
【０００５】
本考案は、上記の問題点を除去するようにしたライフジャケットにもなる防災頭巾を提供することを目的とする。
【課題を解決するための手段】
【０００６】
請求項１記載のライフジャケットにもなる防災頭巾は、防災頭巾を広げた状態の平面が長方形となる本体と、この本体の長手方向を横断するように二つ折りした場合の向かい合う側端辺に係合するファスナーと、前記本体を左の肩に掛けるための左肩肩掛バンドと、前記本体を右の肩に掛けるための右肩肩掛バンドとを備え、前記本体には，浮力材が内在され、前記本体の長方形の長い辺は、第１、第２の長辺であり、前記本体の長方形の短い辺は、第１、第２の短辺であり、前記左肩肩掛バンドは、前記本体の前記第２の長辺より前記第１の長辺に近い側に取り付けられ、前記右肩肩掛バンドは、前記本体の前記第２の長辺より前記第１の長辺に近い側に取り付けられ、一端を前記本体の前記第１の短辺より前記第２の短辺に近い側に第１のバンドが取り付けられ、この第１のバンドの先端部に第１の係止部材又は第１の被係止部材が取り付けられ、一端を前記本体の前記第２の短辺より前記第１の短辺に近い側に第１’のバンドが取り付けられ、この第１’のバンドの先端部に前記第１の係止部材に係止される第１’の被係止部材又は前記第１の被係止部材に係止する第１’の係止部材が取り付けられ、前記側端辺は、前記第１の長辺であり、一端を前記本体の前記第１の長辺より前記第２の長辺に近い側に第２のバンドが取り付けられ、この第２のバンドの先端部に第２の係止部材又は第２の被係止部材が取り付けられ、一端を前記本体の前記第１の長辺より前記第２の長辺に近い側に第２’のバンドが取り付けられ、この第２’のバンドの先端部に前記第２の係止部材に係止される第２’の被係止部材又は前記第２の被係止部材に係止する第２’の係止部材が取り付けられ、前記第２の係止部材を前記第２’の被係止部材に係止して、又は、前記第２’の係止部材を前記第２の被係止部材に係止して、前記第２のバンドと前記第２’のバンドで股バンドが構成されるものである。
【０００７】
また、請求項２記載のライフジャケットにもなる防災頭巾は、防災頭巾を広げた状態の平面が長方形となる本体と、この本体の長手方向を横断するように二つ折りした場合の向かい合う側端辺に係合するファスナーと、前記本体を左の肩に掛けるための左肩肩掛バンドと、前記本体を右の肩に掛けるための右肩肩掛バンドとを備え、前記本体には，浮力材が内在され、前記本体の長方形の長い辺は、第１、第２の長辺であり、前記本体の長方形の短い辺は、第１、第２の短辺であり、前記左肩肩掛バンドは、前記本体の前記第２の長辺より前記第１の長辺に近い側に取り付けられ、前記右肩肩掛バンドは、前記本体の前記第２の長辺より前記第１の長辺に近い側に取り付けられ、一端を前記本体の前記第１の短辺より前記第２の短辺に近い側に第１のバンドが取り付けられ、この第１のバンドの先端部に第１の係止部材又は第１の被係止部材が取り付けられ、一端を前記本体の前記第２の短辺より前記第１の短辺に近い側に第１’のバンドが取り付けられ、この第１’のバンドの先端部に前記第１の係止部材に係止される第１’の被係止部材又は前記第１の被係止部材に係止する第１’の係止部材が取り付けられ、前記側端辺は、前記第２の長辺であり、一端を前記本体の前記第１の長辺より前記第２の長辺に近い側に第２のバンドが取り付けられ、この第２のバンドの先端部に第２の係止部材又は第２の被係止部材が取り付けられ、一端を前記本体の前記第１の長辺より前記第２の長辺に近い側に第２’のバンドが取り付けられ、この第２’のバンドの先端部に前記第２の係止部材に係止される第２’の被係止部材又は前記第２の被係止部材に係止する第２’の係止部材が取り付けられ、前記第２の係止部材を前記第２’の被係止部材に係止して、又は、前記第２’の係止部材を前記第２の被係止部材に係止して、前記第２のバンドと前記第２’のバンドで股バンドが構成されるものである。
【０００８】
また、請求項３記載のライフジャケットにもなる防災頭巾は、請求項１又は２記載のライフジャケットにもなる防災頭巾において、左肩肩掛バンドは、伸縮自在で環状に形成され、右肩肩掛バンドは、伸縮自在で環状に形成され、一端が前記左肩肩掛バンドに、他端が前記右肩肩掛バンドに、それぞれ取り付けられた伸縮自在な第１の背面側バンドと、一端が前記左肩肩掛バンドに、他端が前記右肩肩掛バンドに、それぞれ取り付けられた伸縮自在な第２の背面側バンドとを備え、前記第１の背面側バンドの前記左肩肩掛バンドへの取り付け位置は、背面側から見て、前記第２の背面側バンドの前記左肩肩掛バンドへの取り付け位置より上に、前記第２の背面側バンドの前記右肩肩掛バンドへの取り付け位置は、背面側から見て、前記第１の背面側バンドの前記右肩肩掛バンドへの取り付け位置より上に、それぞれあって、前記第１の背面側バンドと前記第２の背面側バンドとがたすき掛けとなっているものである。
【０００９】
また、請求項４記載のライフジャケットにもなる防災頭巾は、防災頭巾を広げた状態の平面が長方形となる本体と、この本体の長手方向を横断するように二つ折りした場合の向かい合う側端辺に係合するファスナーとを備え、前記本体には，浮力材が内在され、前記本体の長方形の長い辺は、第１、第２の長辺であり、前記本体の長方形の短い辺は、第１、第２の短辺であり、一端を前記本体の前記第１の短辺より前記第２の短辺に近い側に第１のバンドが取り付けられ、この第１のバンドの先端部に第１の係止部材又は第１の被係止部材が取り付けられ、一端を前記本体の前記第２の短辺より前記第１の短辺に近い側に第１’のバンドが取り付けられ、この第１’のバンドの先端部に前記第１の係止部材に係止される第１’の被係止部材又は、前記第１の被係止部材に係止する第１’の係止部材が取り付けられ、前記側端辺は、前記第１の長辺であり、一端を前記本体の前記第１の長辺より前記第２の長辺に近い側に第２のバンドが取り付けられ、この第２のバンドの先端部に第２の係止部材又は第２の被係止部材が取り付けられ、一端を前記本体の前記第１の長辺より前記第２の長辺に近い側に第２’のバンドが取り付けられ、この第２’のバンドの先端部に前記第２の係止部材に係止される第２’の被係止部材又は、前記第２の被係止部材に係止する第２’の係止部材が取り付けられ、前記第２の係止部材を前記第２’の被係止部材に係止して、又は、前記第２’の係止部材を前記第２の被係止部材に係止して、前記第２のバンドと前記第２’のバンドで股バンドが構成され、一端を前記本体の前記第２の長辺より前記第１の長辺に近い側に第３のバンドが取り付けられ、この第３のバンドの先端部に第３の係止部材又は第３の被係止部材が取り付けられ、一端を前記本体の前記第２の長辺より前記第１の長辺に近い側に第３’のバンドが取り付けられ、この第３’のバンドの先端部に前記第３の係止部材に係止される第３’の被係止部材又は、前記第３の被係止部材に係止する第３’の係止部材が取り付けられ、一端を前記本体の前記第２の長辺より前記第１の長辺に近い側に第４のバンドが取り付けられ、この第４のバンドの先端部に第４の係止部材又は第４の被係止部材が取り付けられ、一端を前記本体の前記第２の長辺より前記第１の長辺に近い側に第４’のバンドが取り付けられ、この第４’のバンドの先端部に前記第４の係止部材に係止される第４’の被係止部材又は前記第４の被係止部材に係止する第４’の係止部材が取り付けられ、前記第３’のバンドの前記第１の長辺への取り付け部位と前記第３のバンドの前記第１の長辺への取り付け部位との間に前記第４のバンドの前記第１の長辺への取り付け部位が、前記第４のバンドの前記第１の長辺への取り付け部位と前記第４’のバンドの前記第１の長辺への取り付け部位との間に前記第３’のバンドの前記第１の長辺への取り付け部位が、それぞれ位置し、前記第３’のバンドの前記第３’の係止部材が前記第３のバンドの前記第３の被係止部材に係止、又は、前記第３のバンドの前記第３の係止部材が前記第３’のバンドの前記第３’の被係止部材に係止して、前記第３’のバンドと前記第３のバンドが接続されて第１の連結バンドが形成され、
前記第４’のバンドの前記第４’の係止部材が前記第４のバンドの前記第４の被係止部材に係止、又は、前記第４のバンドの前記第４の係止部材が第４’のバンドの前記第４’の被係止部材に係止して、前記第４’のバンドと前記第４のバンドが接続されて第２の連結バンドが形成され、前記本体の防災頭巾を広げた状態の平面視において、前記第１の連結バンドと前記第２の連結バンドは交差した状態にあって、前記第３のバンドの前記第１の長辺への取り付け部位と前記第４のバンドの前記第１の長辺への取り付け部位とを結ぶ直線、前記第１の連結バンド及び前記第２の連結バンドに囲まれた領域に一方の手を、前記第３’のバンドの前記第１の長辺への取り付け部位と前記第４’のバンドの前記第１の長辺への取り付け部位とを結ぶ直線、前記第１の連結バンド及び前記第２の連結バンドに囲まれた領域に他方の手を、それぞれ挿入することができる位置関係にある。
【００１０】
また、請求項５記載のライフジャケットにもなる防災頭巾は、防災頭巾を広げた状態の平面が長方形となる本体と、この本体の長手方向を横断するように二つ折りした場合の向かい合う側端辺に係合するファスナーとを備え、前記本体には，浮力材が内在され、前記本体の長方形の長い辺は、第１、第２の長辺であり、前記本体の長方形の短い辺は、第１、第２の短辺であり、一端を前記本体の前記第１の短辺より前記第２の短辺に近い側に第１のバンドが取り付けられ、この第１のバンドの先端部に第１の係止部材又は第１の被係止部材が取り付けられ、一端を前記本体の前記第２の短辺より前記第１の短辺に近い側に第１’のバンドが取り付けられ、この第１’のバンドの先端部に前記第１の係止部材に係止される第１’の被係止部材又は、前記第１の被係止部材に係止する第１’の係止部材が取り付けられ、前記側端辺は、前記第２の長辺であり、一端を前記本体の前記第１の長辺より前記第２の長辺に近い側に第２のバンドが取り付けられ、この第２のバンドの先端部に第２の係止部材又は第２の被係止部材が取り付けられ、一端を前記本体の前記第１の長辺より前記第２の長辺に近い側に第２’のバンドが取り付けられ、この第２’のバンドの先端部に前記第２の係止部材に係止される第２’の被係止部材又は、前記第２の被係止部材に係止する第２’の係止部材が取り付けられ、前記第２の係止部材を前記第２’の被係止部材に係止して、又は、前記第２’の係止部材を前記第２の被係止部材に係止して、前記第２のバンドと前記第２’のバンドで股バンドが構成され、一端を前記本体の前記第２の長辺より前記第１の長辺に近い側に第３のバンドが取り付けられ、この第３のバンドの先端部に第３の係止部材又は第３の被係止部材が取り付けられ、一端を前記本体の前記第２の長辺より前記第１の長辺に近い側に第３’のバンドが取り付けられ、この第３’のバンドの先端部に前記第３の係止部材に係止される第３’の被係止部材又は、前記第３の被係止部材に係止する第３’の係止部材が取り付けられ、一端を前記本体の前記第２の長辺より前記第１の長辺に近い側に第４のバンドが取り付けられ、この第４のバンドの先端部に第４の係止部材又は第４の被係止部材が取り付けられ、一端を前記本体の前記第２の長辺より前記第１の長辺に近い側に第４’のバンドが取り付けられ、この第４’のバンドの先端部に前記第４の係止部材に係止される第４’の被係止部材又は前記第４の被係止部材に係止する第４’の係止部材が取り付けられ、前記第３’のバンドの前記第１の長辺への取り付け部位と前記第３のバンドの前記第１の長辺への取り付け部位との間に前記第４のバンドの前記第１の長辺への取り付け部位が、前記第４のバンドの前記第１の長辺への取り付け部位と前記第４’のバンドの前記第１の長辺への取り付け部位との間に前記第３’のバンドの前記第１の長辺への取り付け部位が、それぞれ位置し、前記第３’のバンドの前記第３’の係止部材が前記第３のバンドの前記第３の被係止部材に係止、又は、前記第３のバンドの前記第３の係止部材が前記第３’のバンドの前記第３’の被係止部材に係止して、前記第３’のバンドと前記第３のバンドが接続されて第１の連結バンドが形成され、
前記第４’のバンドの前記第４’の係止部材が前記第４のバンドの前記第４の被係止部材に係止、又は、前記第４のバンドの前記第４の係止部材が第４’のバンドの前記第４’の被係止部材に係止して、前記第４’のバンドと前記第４のバンドが接続されて第２の連結バンドが形成され、前記本体の防災頭巾を広げた状態の平面視において、前記第１の連結バンドと前記第２の連結バンドは交差した状態にあって、前記第３のバンドの前記第１の長辺への取り付け部位と前記第４のバンドの前記第１の長辺への取り付け部位とを結ぶ直線、前記第１の連結バンド及び前記第２の連結バンドに囲まれた領域に一方の手を、前記第３’のバンドの前記第１の長辺への取り付け部位と前記第４’のバンドの前記第１の長辺への取り付け部位とを結ぶ直線、前記第１の連結バンド及び前記第２の連結バンドに囲まれた領域に他方の手を、それぞれ挿入することができる位置関係にある。
【考案の効果】
【００１１】
請求項１記載のライフジャケットにもなる防災頭巾によれば、防災頭巾として使用する場合、本体の長手方向を横断するように二つ折りした場合の向かい合う側端辺をファスナーにより係合させ、また、ライフジャケットとして使用する場合、第１の係止部材を第１’の被係止部材に、又は、第１’の係止部材を第１の被係止部材に係止して、本体を筒形状に構成して使用者の胴を覆うことができ、左肩肩掛バンドを使用者の左肩に、右肩肩掛バンドを使用者の右肩に、それぞれ掛け、更に、第２の係止部材を第２’の被係止部材に、又は、第２’の係止部材を第２の被係止部材に係止して、第２のバンドと第２’のバンドで構成した股バンドを介して一方の足と他の足をそれぞれ位置させて、使用者に装着された本体が使用者から離脱しないようにすることができる等の効果を奏する。
【００１２】
また、請求項２記載のライフジャケットにもなる防災頭巾によれば、防災頭巾として使用する場合、本体の長手方向を横断するように二つ折りした場合の向かい合う側端辺をファスナーにより係合させ、また、ライフジャケットとして使用する場合、第１の係止部材を第１’の被係止部材に、又は、第１’の係止部材を第１の被係止部材に係止して、本体を筒形状に構成して使用者の胴を覆うことができ、左肩肩掛バンドを使用者の左肩に、右肩肩掛バンドを使用者の右肩に、それぞれ掛け、更に、第２の係止部材を第２’の被係止部材に、又は、第２’の係止部材を第２の被係止部材に係止して、第２のバンドと第２’のバンドで構成した股バンドを介して一方の足と他の足をそれぞれ位置させて、使用者に装着された本体が使用者から離脱しないようにすることができる等の効果を奏する。
【００１３】
また、請求項３記載のライフジャケットにもなる防災頭巾によれば、前述した請求項１又は請求項２記載の考案の効果に加え、左肩肩掛バンド及び右肩肩掛バンドは、それぞれ伸縮自在で環状に形成されているため、腕を通すだけで容易に装着することができ、しかも、装着すれば、伸縮自在な第１の背面側バンドと伸縮自在な第２の背面側バンドとがたすき掛けとなっているため、使用者に装着された本体が使用者から離脱しないようにすることができる等の効果を奏する。
【００１４】
また、請求項４記載のライフジャケットにもなる防災頭巾によれば、防災頭巾として使用する場合、本体の長手方向を横断するように二つ折りした場合の向かい合う側端辺をファスナーにより係合させ、また、ライフジャケットとして使用する場合、第１の係止部材を第１’の被係止部材に係止、又は、第１’の係止部材を第１の被係止部材に係止して、本体を筒形状に構成して使用者の胴を覆うことができ、前記本体の防災頭巾を広げた状態の平面視において、第１の連結バンドと第２の連結バンドは交差した状態にあって、第３のバンドの第１の長辺への取り付け部位と第４のバンドの第１の長辺への取り付け部位とを結ぶ直線、前記第１の連結バンド及び前記第２の連結バンドに囲まれた領域に一方の手を、第３’のバンドの前記第１の長辺への取り付け部位と第４’のバンドの前記第１の長辺への取り付け部位とを結ぶ直線、前記第１の連結バンド及び前記第２の連結バンドに囲まれた領域に他方の手を、それぞれ挿入することができる位置関係にあるため、交差状態で本体を装着し、更に、第２の係止部材を第２’の被係止部材に係止、又は、第２’の係止部材を第２の被係止部材に係止して、第２のバンドと第２’のバンドで構成した股バンドを介して一方の足と他の足をそれぞれ位置させて、使用者に装着された本体が使用者から離脱しないようにすることができる等の効果を奏する。
【００１５】
また、請求項５記載のライフジャケットにもなる防災頭巾によれば、防災頭巾として使用する場合、本体の長手方向を横断するように二つ折りした場合の向かい合う側端辺をファスナーにより係合させ、また、ライフジャケットとして使用する場合、第１の係止部材を第１’の被係止部材に係止、又は、第１’の係止部材を第１の被係止部材に係止して、本体を筒形状に構成して使用者の胴を覆うことができ、前記本体の防災頭巾を広げた状態の平面視において、第１の連結バンドと第２の連結バンドは交差した状態にあって、第３のバンドの第１の長辺への取り付け部位と第４のバンドの第１の長辺への取り付け部位とを結ぶ直線、前記第１の連結バンド及び前記第２の連結バンドに囲まれた領域に一方の手を、第３’のバンドの前記第１の長辺への取り付け部位と第４’のバンドの前記第１の長辺への取り付け部位とを結ぶ直線、前記第１の連結バンド及び前記第２の連結バンドに囲まれた領域に他方の手を、それぞれ挿入することができる位置関係にあるため、交差状態で本体を装着し、更に、第２の係止部材を第２’の被係止部材に係止、又は、第２’の係止部材を第２の被係止部材に係止して、第２のバンドと第２’のバンドで構成した股バンドを介して一方の足と他の足をそれぞれ位置させて、使用者に装着された本体が使用者から離脱しないようにすることができる等の効果を奏する。
【図面の簡単な説明】
【００１６】
【図１】図１は、本考案の一実施例のライフジャケットにもなる防災頭巾を展開して示す概略的平面図である。
【図２】図２は、図１のライフジャケットにもなる防災頭巾を防災頭巾として使用するために、ファスナーにより、本体の長手方向を横断するように二つ折りした場合の向かい合う側端辺を係合させた状態の概略的斜視図である。
【図３】図３は、図２のライフジャケットにもなる防災頭巾を防災頭巾として使用した状態を前から見た概略的図である。
【図４】図４は、図１のライフジャケットにもなる防災頭巾をライフジャケットとして使用した状態を側方から見た概略的図である。
【図５】図５は、図１のライフジャケットにもなる防災頭巾をライフジャケットとして使用した状態を背面から見た概略的図である。
【図６】図６は、図１と異なる他の実施例のライフジャケットにもなる防災頭巾を展開して示す概略的平面図である。
【考案を実施するための形態】
【００１７】
本考案の一実施例のライフジャケットにもなる防災頭巾を図面を参照して説明する。
図１〜図５に示すＰはライフジャケットにもなる防災頭巾で、ライフジャケットにもなる防災頭巾Ｐは、防災頭巾を広げた状態の平面が長方形となる本体１（図１参照）を有し、本体１には，浮力材（図示せず）が内在されている。本体１の長方形の長い辺は、第１、第２の長辺１Ａ、１Ｂであり、本体１の長方形の短い辺は、第１、第２の短辺１Ｃ、１Ｄである。
また、本体１は、望ましくは、耐火素材で形成されているのが良く、また、光の反射により第三者に視認されように、反射部材（図示せず）を本体１に設けるようにしても良い。
【００１８】
２はファスナーで、ファスナー２は、本体１の長手方向を横断するように二つ折りした場合の向かい合う側端辺１Ａ１、１Ａ２（図１参照）に係合する。図２は、本体１の長手方向を横断するように二つ折りした場合の向かい合う側端辺１Ａ１、１Ａ２をファスナー２により係合させ、防災頭巾として使用する場合を示している。側端辺１Ａ１、１Ａ２は、第１の長辺１Ａである。
【００１９】
また、図１に示す３は左肩肩掛バンドで、左肩肩掛バンド３は、本体１の第２の長辺１Ｂより第１の長辺１Ａに近い側に取り付けられ、本体１を左の肩に掛けるためのもので、伸縮自在で環状に形成されている。
また、図１に示す４は右肩肩掛バンドで、右肩肩掛バンド４は、本体１の第２の長辺１Ｂより第１の長辺１Ａに近い側に取り付けられ、本体１を右の肩に掛けるためのもので、伸縮自在で環状に形成されている。
また、５は第１の背面側バンドで、第１の背面側バンド５は伸縮自在で、一端が左肩肩掛バンド３に、他端が右肩肩掛バンド４に、それぞれ取り付けられている。
また、６は第２の背面側バンドで、第２の背面側バンド６は伸縮自在で、一端が左肩肩掛バンド３に、他端が右肩肩掛バンド４に、それぞれ取り付けられている。
そして、図５に示すように、第１の背面側バンド５の左肩肩掛バンド３への取り付け位置は、背面側から見て、第２の背面側バンド６の左肩肩掛バンド３への取り付け位置より上に、第２の背面側バンド６の右肩肩掛バンド４への取り付け位置は、背面側から見て、第１の背面側バンド５の右肩肩掛バンド４への取り付け位置より上に、それぞれあって、第１の背面側バンド５と第２の背面側バンド６とがたすき掛けとなっている。
【００２０】
そのため、左肩肩掛バンド３、右肩肩掛バンド４へ腕を通すだけで容易に本体１を装着することができ、しかも、装着すれば、伸縮自在な第１の背面側バンド５と伸縮自在な第２の背面側バンド６とがたすき掛けとなっているため、使用中において、離脱しにくい効果を有する。
【００２１】
また、図１に示す７は第１のバンドで、第１のバンド７は、一端を本体１の第１の短辺１Ｃより第２の短辺１Ｄに近い側に取り付けられ、第１のバンド７の先端部に第１の被係止部材８、例えば、バックルの雌、が取り付けられている。又は、逆に、第１のバンド７の先端部に図示しない第１の係止部材、例えば、バックルの雄を取り付けるようにしても良い。
また、７’は第１’のバンドで、第１’のバンド７’は、一端を本体１の第２の短辺１Ｄより第１の短辺１Ｃに近い側に取り付けられ、第１’のバンド７’の先端部に第１の被係止部材８に係止される第１の係止部材８’、例えば、バックルの雄、が取り付けられている。又は、逆に、第１のバンド７の先端部に第１の係止部材が取り付けられていれば、第１’のバンド７’の先端部に図示しない第１’の被係止部材、例えば、バックルの雌を取り付けるようにしても良い。
なお、第１のバンド７、第１’のバンド７’は、図１記載においては、それぞれ複数設けられているが、場合により、単数でも良い。
【００２２】
また、図１に示す９は第２のバンドで、第２のバンド９は、一端を本体１の第１の長辺１Ａより第２の長辺１Ｂに近い側に取り付けられ、第２のバンド９の先端部に第２の係止部材１０、例えば、バックルの雄、が取り付けられている。又は、逆に、第２のバンド９の先端部に図示しない第１の被係止部材、例えば、バックルの雌を取り付けるようにしても良い。
また、９’は第２’のバンドで、第２’のバンド９’は、一端を本体１の第１の長辺１Ａより第２の長辺１Ｂに近い側に取り付けられ、第２’のバンド９’の先端部に第２の係止部材１０に係止される第２の被係止部材１０’、例えば、バックルの雌、が取り付けられている。又は、逆に、第２のバンド９の先端部に図示しない第２の被係止部材が取り付けられていれば、第２’のバンド９’の先端部に図示しない第２’の係止部材、例えば、バックルの雄を取り付けるようにしても良い。
そして、第２のバンド９の先端部に取り付けらた第２の係止部材１０を第２’のバンド９’の先端部に取り付けられた第２’の被係止部材１０’に係止(又は、図示しない前記第２’の係止部材を図示しない前記第２の被係止部材に係止)して、第２のバンド９と第２’のバンド９’で股バンドが構成される。
【００２３】
従って、ライフジャケットにもなる防災頭巾Ｐを防災頭巾として使用する場合、図２及び図３に示すように、本体１の長手方向を横断するように二つ折りした場合の向かい合う側端辺１Ａ１、１Ａ２をファスナー２により係合させ、また、ライフジャケットとして使用する場合、図１に示すように、本体１を防災頭巾を広げた状態の平面が長方形となるようにし、第１のバンド７の先端部に取り付けられた第１の被係止部材８（又は、図示しない第１の係止部材）を第１’のバンド７’の先端部に取り付けられた第１’の係止部材８’（又は、図示しない第１’の被係止部材）に係止して、本体１を筒形状に構成して使用者の胴を覆うことができ、左肩肩掛バンド３を使用者の左肩に、右肩肩掛バンド４を使用者の右肩に、それぞれ掛け、更に、第２のバンド９の先端部に取り付けらた第２の係止部材（又は、図示しない第２の被係止部材）１０を第２’のバンド９’の先端部に取り付けられた第２’の被係止部材１０’（又は、図示しない第２’の係止部材）に係止して、第２のバンド９と第２’のバンド９’で構成した股バンドを介して一方の足と他の足をそれぞれ位置させて、使用者に装着された本体１が使用者から離脱しないようにすることができる（図４及び図５参照）。
【００２４】
上述した実施例においては、ファスナー２が本体１の第１の長辺１Ａにある場合、左肩肩掛バンド３、右肩肩掛バンド４は、本体１の第２の長辺１Ｂより第１の長辺１Ａに近い側にそれぞれ取り付けられ、第２のバンド９の一端を本体１の第１の長辺１Ａより第２の長辺１Ｂに近い側に、第２’のバンド９’の一端を本体１の第１の長辺１Ａより第２の長辺１Ｂに近い側に、それぞれ取り付けるようにしたが、
本願考案にあっては、これに限らず、図示しないが、図１のファスナー２を本体１の第２の長辺１Ｂの側に取り付けるようにしても、上述した実施例（図１乃至図５）と同様な効果を有する。
【００２５】
また、上述した実施例（図１乃至図５）においては、左肩肩掛バンド３、右肩肩掛バンド４をそれぞれ環状に形成したが、本願考案にあっては、これに限らず、図６に示すライフジャケットにもなる防災頭巾Ｐとしても良い。
なお、本実施例（図６）においては、上述した実施例（図１〜図５）と同一部分に同一符号を付して、説明の一部を省略する。
【００２６】
即ち、図６に示す１３は第３のバンドで、第３のバンド１３は、一端を本体１の第２の長辺１Ｂより第１の長辺１Ａに近い側に取り付けられ、第３のバンド１３の先端部に第３の被係止部材１４、例えば、バックルの雌、が取り付けられている。又は、逆に、第３のバンド１３の先端部に第３の係止部材（図示しないが、例えば、バックルの雄）を取り付けるようにしても良い。
また、１３’は第３’のバンドで、第３’のバンド１３’は、一端を本体１の第２の長辺１Ｂより第１の長辺１Ａに近い側に取り付けられ、第３’のバンド１３’の先端部に第３の被係止部材１４に係止される第３’の係止部材１４’（例えば、バックルの雄）、が取り付けられている。又は、逆に、第３’のバンド１３’の先端部に第３のバンド１３の先端部に取り付けられた第３の係止部材（図示しないが、例えば、バックルの雄）に係止される第３の被係止部材（図示しないが、例えば、バックルの雌）を取り付けるようにしても良い。
【００２７】
また、図６に示す１５は第４のバンドで、第４のバンド１５は、一端を本体１の第２の長辺１Ｂより第１の長辺１Ａに近い側に取り付けられ、第４のバンド１５の先端部に第４の係止部材１６、例えば、バックルの雄、が取り付けられている。又は、逆に、第４のバンド１５の先端部に第４の被係止部材（図示しないが、例えば、バックルの雌）を取り付けるようにしても良い。
また、１５’は第４’のバンドで、第４’のバンド１５’は、一端を本体１の第２の長辺１Ｂより第１の長辺１Ａに近い側に取り付けられ、第４’のバンド１５’の先端部に第４の係止部材１６に係止される第４’の被係止部材１６’（例えば、バックルの雌）、が取り付けられている。又は、逆に、第４’のバンド１５’の先端部に第４のバンド１５の先端部に取り付けられた第４の被係止部材（図示しないが、例えば、バックルの雌）に係止する第４の係止部材（図示しないが、例えば、バックルの雄）を取り付けるようにしても良い。
【００２８】
そして、第３’のバンド１３’の第１の長辺１Ａへの取り付け部位と第３のバンド１３の第１の長辺１Ａへの取り付け部位との間に第４のバンド１５の第１の長辺１Ａへの取り付け部位が、第４のバンド１５の第１の長辺１Ａへの取り付け部位と第４’のバンド１５’の第１の長辺１Ａへの取り付け部位との間に第３’のバンド１３’の第１の長辺１Ａへの取り付け部位が、それぞれ位置し、第３’のバンド１３’と第３のバンド１３で接続されて第１の連結バンドが、第４’のバンド１５’と第４のバンド１５で接続されて第２の連結バンドが，それぞれ形成される。
そして、本体１の防災頭巾を広げた状態の平面視において、前記第１の連結バンドと前記第２の連結バンドは交差した状態にあって、第３のバンド１３の第１の長辺１Ａへの取り付け部位と第４のバンド１５の第１の長辺１Ａへの取り付け部位とを結ぶ直線、前記第１の連結バンド及び前記第２の連結バンドに囲まれた領域Ｘに一方の手を、第３’のバンド１３’の第１の長辺１Ａへの取り付け部位と第４’のバンド１５’の第１の長辺１Ａへの取り付け部位とを結ぶ直線、前記第１の連結バンド及び前記第２の連結バンドに囲まれた領域Ｙに他方の手を、それぞれ挿入することができる位置関係にある。
【００２９】
本実施例のものを防災頭巾として使用する場合、上述した実施例（図１乃至図５）と同様、本体１の長手方向を横断するように二つ折りした場合の向かい合う側端辺１Ａ１、１Ａ２をファスナー２により係合させる。
また、ライフジャケットとして使用する場合、第１’の係止部材８’を第１の被係止部材８に係止、又は、第１のバンド７の先端部に取り付けられた第１の係止部材（図示せず）を第１’のバンド７の先端部に取り付けられた第１’の被係止部材（図示せず）に係止して、本体１を筒形状に構成して使用者の胴を覆うことができ、本体１の防災頭巾を広げた状態の平面視において、前記第１の連結バンドと前記第２の連結バンドは交差した状態にあって、第３のバンド１３の第１の長辺１Ａへの取り付け部位と第４のバンド１５の第１の長辺１Ａへの取り付け部位とを結ぶ直線、前記第１の連結バンド及び前記第２の連結バンドに囲まれた領域Ｘに一方の手を、第３’のバンド１３’の第１の長辺１Ａへの取り付け部位と第４’のバンド１５’の第１の長辺１Ａへの取り付け部位とを結ぶ直線、前記第１の連結バンド及び前記第２の連結バンドに囲まれた領域Ｙに他方の手を、それぞれ挿入することができる位置関係にあるため、交差状態で本体１を装着し、更に、第２の係止部材１０を第２’の被係止部材１０’に係止，又は、第２’のバンド９’の先端部に取り付けた第２’の係止部材（図示せず）を第２のバンド９の先端部に取り付けた第２の被係止部材（図示せず）に係止して、第２のバンド９と第２’のバンド９’で構成した股バンドを介して一方の足と他の足をそれぞれ位置させて、使用者に装着された本体１が使用者から離脱しないようにすることができる等の効果を奏する。
【００３０】
上述した実施例（図６）においては、ファスナー２が本体１の第１の長辺１Ａにある場合、第２のバンド９の一端を本体１の第１の長辺１Ａより第２の長辺１Ｂに近い側に、第２’のバンド９’の一端を本体１の第１の長辺１Ａより第２の長辺１Ｂに近い側に、それぞれ取り付けるようにしたが、
本願考案にあっては、これに限らず、図示しないが、図６のファスナー２を本体１の第２の長辺１Ｂの側に取り付けるようにしても、上述した実施例（図６）と同様な効果を有する。
【符号の説明】
【００３１】
Ｐ      ライフジャケットにもなる防災頭巾
１      本体
１Ａ１  側端辺
１Ａ２  側端辺
２      ファスナー
３      左肩肩掛バンド
４      右肩肩掛バンド
７      第１のバンド７
７’    第１’のバンド’
９      第２のバンド
９’    第２’のバンド
【図１】
0003191505.tif 000003
【図２】
0003191505.tif 000004
【図３】
0003191505.tif 000005
【図４】
0003191505.tif 000006
【図５】
0003191505.tif 000007
【図６】
0003191505.tif 000008